(57)【要約】      （修正有）【課題】取り付けが容易で、音響装置を備え、照明機能の他に音楽を聴くことができる音響懐中電灯を提供する。【解決手段】取り付けが容易な音響懐中電灯は、照明部１０、二次電池、音響装置２０、磁石、接続部材及びインナーケース４０を備える。二次電池、磁石、接続部材及び音響装置２０は、インナーケース４０内にそれぞれ配設される。照明部１０は、インナーケース４０の外側に取り付けられる。照明部１０及び音響装置２０は、二次電池と電気的に接続される。接続部材は、接続板及び接続杆を有する。接続板は、インナーケース４０の底部に係合される。接続板の中央部には、装着孔が形成される。接続杆は、装着孔内に取り付けられる。磁石は、接続部材と接続杆との間に係合される。【選択図】図３
0003224977.tif 000002
【実用新案登録請求の範囲】
【請求項１】
照明部、二次電池、音響装置、磁石、接続部材及びインナーケースを備えた、取り付けが容易な音響懐中電灯であって、
前記二次電池、前記磁石、前記接続部材及び前記音響装置は、前記インナーケース内にそれぞれ配設され、
前記照明部は、前記インナーケースの外側に取り付けられ、
前記照明部及び前記音響装置は、前記二次電池と電気的に接続され、
前記接続部材は、接続板及び接続杆を有し、
前記接続板は、前記インナーケースの底部に係合され、
前記接続板の中央部には、装着孔が形成され、
前記接続杆は、前記装着孔内に取り付けられ、
前記磁石は、前記接続部材と前記接続杆との間に係合されることを特徴とする、取り付けが容易な音響懐中電灯。
【請求項２】
前記インナーケースの底部には、穿孔が形成され、
前記穿孔の孔壁上には、環状ブロックが設けられ、
前記接続板の外側面には、係合槽が形成され、
前記接続板は、前記環状ブロックが前記係合槽内に係入されて前記インナーケース上に取り付けられることを特徴とする請求項１に記載の取り付けが容易な音響懐中電灯。
【請求項３】
前記接続板の底部には、前記係合槽に向かうリード構造を呈する係合端が設けられることを特徴とする請求項２に記載の取り付けが容易な音響懐中電灯。
【請求項４】
前記磁石は、階段状に形成され、
前記接続板上には、第１の環状槽が形成され、
前記第１の環状槽内には、第２の環状槽が形成され、
前記磁石は、前記第１の環状槽中に取り付けられ、前記第２の環状槽内まで延びることを特徴とする請求項１に記載の取り付けが容易な音響懐中電灯。
【請求項５】
前記第２の環状槽の槽壁上には、複数のリブが設けられることを特徴とする請求項４に記載の取り付けが容易な音響懐中電灯。
【請求項６】
前記装着孔の内孔壁上には、環状突起が設けられ、
前記接続杆上には、接続槽が形成され、
前記接続杆は、前記環状突起が前記接続槽内に係入され、前記接続板に取り付けられることを特徴とする請求項１に記載の取り付けが容易な音響懐中電灯。
【請求項７】
前記接続杆上には、前記接続槽に向かうリード構造を呈する接続端が設けられることを特徴とする請求項６に記載の取り付けが容易な音響懐中電灯。
【請求項８】
前記接続板はシリコーンからなることを特徴とする請求項１に記載の取り付けが容易な音響懐中電灯。
【請求項９】
前記照明部は、ラッパ状に形成され、
前記ラッパ状の開口は、インナーケースの外側に向かって形成されることを特徴とする請求項１に記載の取り付けが容易な音響懐中電灯。
【請求項１０】
取付けベース及びアウターケースをさらに備え、
前記アウターケースは、前記取付けベース上に取り付けられ、
前記インナーケースは、前記アウターケース内に取り付けられることを特徴とする請求項１に記載の取り付けが容易な音響懐中電灯。
【考案の詳細な説明】
【技術分野】
【０００１】
本考案は、照明装置に関するものであり、特に、懐中電灯に関するものであって、さらに詳しくは、取り付けが容易な音響懐中電灯に関するものである。
【背景技術】
【０００２】
懐中電灯とは、手のひらサイズの電子照明ツールであり、典型的な懐中電灯は、電池から給電される電球と、フォーカスミラーとから構成されるとともに、手で持つことができる把持式インナーハウジングを有する。初期の懐中電灯は、照明機能しか備えていなかったが、その後の懐中電灯は、音響装置を備え、照明機能の他に音楽を聴くことができる機能も備えている。
【０００３】
しかし、従来の音響懐中電灯は、ユーザが手で持って使用することしかできず、また、特定の場所に固定することができず、ユーザが空いた両手で他の事を行うことができなかったため、ユーザにとって利便性に欠けるものであった。
【考案の概要】
【考案が解決しようとする課題】
【０００４】
従って、本考案の主な課題は、前記の背景技術に鑑み、取り付けが容易な音響懐中電灯を提供することにある。
【課題を解決するための手段】
【０００５】
そこで、本考案者は、前記の本考案の課題を解決するため鋭意検討を重ねた結果、後述のように、照明部と該照明部を結合したインナーケースと、二次電池、音響装置、磁石および接続部とを内蔵した前記インナーケースをアウターケース内に取り付けた構成をとることにより、前記の考案の課題を解決できる点に着目し、かかる知見に基いて本考案に想到するに至った。
【０００６】
かくして、本考案の要旨は、次の（１）〜（１０）に記載の通りのものである。
（１）照明部、二次電池、音響装置、磁石、接続部材及びインナーケースを備えた、取り付けが容易な音響懐中電灯であって、
前記二次電池、前記磁石、前記接続部材及び前記音響装置は、前記インナーケース内にそれぞれ配設され、
前記照明部は、前記インナーケースの外側に取り付けられ、
前記照明部及び前記音響装置は、前記二次電池と電気的に接続され、
前記接続部材は、接続板及び接続杆を有し、
前記接続板は、前記インナーケースの底部に係合され、前記接続板の中央部には、装着孔が形成され、
前記接続杆は、前記装着孔内に取り付けられ、
前記磁石は、前記接続部材と前記接続杆との間に係合されることを特徴とする取り付けが容易な音響懐中電灯。
【０００７】
（２）前記インナーケースの底部には、穿孔が形成され、前記穿孔の孔壁上には、環状ブロックが設けられ、前記接続板の外側面には、係合槽が形成され、前記接続板は、前記環状ブロックが前記係合槽内に係入されて前記インナーケース上に取り付けられることを特徴とする前記（１）に記載の取り付けが容易な音響懐中電灯。
【０００８】
（３）前記接続板の底部には、前記係合槽に向かうリード構造を呈する係合端が設けられることを特徴とする前記（２）に記載の取り付けが容易な音響懐中電灯。
【０００９】
（４）前記磁石は、階段状に形成され、前記接続板上には、第１の環状槽が形成され、前記第１の環状槽内には、第２の環状槽が形成され、前記磁石は、前記第１の環状槽中に取り付けられ、前記第２の環状槽内まで延びることを特徴とする前記（１）に記載の取り付けが容易な音響懐中電灯。
【００１０】
（５）前記第２の環状槽の槽壁上には、複数のリブが設けられることを特徴とする前記（４）に記載の取り付けが容易な音響懐中電灯。
【００１１】
（６）前記装着孔の内孔壁上には、環状突起が設けられ、前記接続杆上には、接続槽が形成され、前記接続杆は、前記環状突起が前記接続槽内に係入され、前記接続板に取り付けられることを特徴とする前記（１）に記載の取り付けが容易な音響懐中電灯。
【００１２】
（７）前記接続杆上には、前記接続槽に向かうリード構造を呈する接続端が設けられることを特徴とする前記（６）に記載の取り付けが容易な音響懐中電灯。
【００１３】
（８）前記接続板はシリコーンからなることを特徴とする前記（１）に記載の取り付けが容易な音響懐中電灯。
【００１４】
（９）前記照明部は、ラッパ状に形成され、前記ラッパ状の開口は、インナーケースの外側に向かって形成されることを特徴とする前記（１）に記載の取り付けが容易な音響懐中電灯。
【００１５】
（１０）取付けベース及びアウターケースをさらに備え、前記アウターケースは、前記取付けベース上に取り付けられ、前記インナーケースは、前記アウターケース内に取り付けられることを特徴とする前記（１）に記載の取り付けが容易な音響懐中電灯。
【考案の効果】
【００１６】
本考案に係る取り付けが容易な音響懐中電灯には、照明部、二次電池、音響装置、磁石、接続部材、インナーケース、取付けベース及びアウターケースが配設され、上述した二次電池、磁石、接続部材及び音響装置はインナーケース内にそれぞれ取り付けられる。上述した照明部は、インナーケースの外側に取り付けられる。上述した接続部材は、接続板及び接続杆を含む。上述した接続板は、インナーケースの底部に係合される。上述した接続板の中央部には、装着孔が形成される。上述した接続杆は、上述した装着孔内に取り付けられる。上述した磁石は、接続部材と接続杆との間に係合される。上述したアウターケースは、取付けベース上に取り付けられる。上述したインナーケースは、アウターケース内に取り付けられ、磁石の磁性により、アウターケース内にインナーケースを確実に取り付けることができる。このように音響懐中電灯を所望の箇所に固定させることができなかった問題を解決することができるため、ユーザは空いた両手で別の作業をすることができる。そのため、実用的で普及させる価値がある。
【図面の簡単な説明】
【００１７】
【図１】図１は、本考案の一実施形態に係る取り付けが容易な音響懐中電灯を示す斜視図である。
【図２】図２は、図１の取り付けが容易な音響懐中電灯を示す分解斜視図である。
【図３】図３は、図１の取り付けが容易な音響懐中電灯を示す断面図である。
【図４】図４は、図３のＡ部分の拡大図である。
【考案を実施するための形態】
【００１８】
以下、図面を用いて本考案を具体的に説明する。もっとも本考案は、かかる図面等により限定されるものではない。
図１〜図４を参照する。図１〜図４に示すように、本考案の一実施形態に係る取り付けが容易な音響懐中電灯は、少なくとも照明部１０、二次電池（図示せず）、音響装置２０、接続部材（図示せず）及びインナーケース４０から構成されてなる。上述した二次電池、磁石（図示せず）、接続部材及び音響装置２０は、インナーケース４０内にそれぞれ配設される。上述した照明部１０は、インナーケース４０の外側に取り付けられる。上述した照明部１０及び音響装置２０は、上述した二次電池と電気的に接続される。上述した接続部材は、接続板５１及び接続杆５２を有する。上述した接続板５１は、インナーケース４０の底部に係合される。上述した接続板５１の中央部には、装着孔５１１が形成される。上述した接続杆５２は、上述した装着孔５１１内に取り付けられる。上述した磁石は、接続部材と接続杆５２との間に係合される。
【００１９】
上述したインナーケース４０の底部には、穿孔（図示せず）が形成される。上述した穿孔の孔壁上には、環状ブロック４１が設けられる。上述した接続板５１の外側面には、係合槽５１２が形成される。上述した接続板５１は、環状ブロック４１が係合槽５１２内に係入されて上述したインナーケース４０上に取り付けられる。上述した接続板５１の底部には、係合槽５１２に向かうリード構造を呈する係合端５１３が設けられ、環状ブロック４１を係合槽５１２内に係入させることができる。
【００２０】
上述した磁石は、階段状に形成される。上述した接続板５１上には、第１の環状槽（図示せず）が形成される。上述した第１の環状槽内には、第２の環状槽５１４が形成される。上述した磁石は、第１の環状槽中に取り付けられ、第２の環状槽５１４内まで延びる。上述した第２の環状槽５１４の溝壁上には、複数のリブ（図示せず）が設けられる。上述したリブは、磁石を第１の環状槽及び第２の環状槽５１４内に確実に係合させることができる。
【００２１】
上述した装着孔５１１の内孔壁上には、環状突起５１５が設けられる。上述した接続杆５２上には、接続槽５２１が形成される。上述した接続杆５２は、環状突起５１５が接続槽５２１内に係入され、接続板５１に取り付けられる。上述した接続杆５２上には、接続槽５２１に向かうリード構造を呈する接続端（図示せず）が設けられ、環状突起５１５は接続槽５２１内に係入させることができる。
【００２２】
上述した接続板５１は、シリコーンからなり、磁石及び接続杆５２は、上述した接続板５１内に係入させることができる。
【００２３】
上述した照明部１０は、ラッパ状に形成され、上述したラッパ状の開口は、インナーケース４０の外側に向かって形成され、インナーケース４０内部の音響装置２０が音声を発し、好ましい聴覚体験が得られる。
【００２４】
本実施形態の取り付けが容易な音響懐中電灯は、取付けベース６０及びアウターケース７０をさらに備えてもよい。上述したアウターケース７０は、取付けベース６０上に取り付けられる。上述したインナーケース４０は、アウターケース７０内に取り付けられる。
【００２５】
上述したインナーケース４０は、鉄からなり、磁石が鉄に引き付けられる特性を利用し、アウターケース７０内にインナーケース４０を確実に取り付けることができる。
【００２６】
上述したことから分かるように、本考案の取り付けが容易な音響懐中電灯は、少なくとも照明部１０、二次電池、音響装置２０、磁石、接続部材、インナーケース４０、取付けベース６０及びアウターケース７０から構成されてなる、上述した二次電池、磁石、接続部材及び音響装置は、インナーケース４０内にそれぞれ配設される。上述した照明部１０は、インナーケース４０の外側に取り付けられる。上述した接続部材は、接続板５１及び接続杆５２を有する。上述した接続板５１は、インナーケース４０の底部に係合される。上述した接続板５１の中央部には、装着孔５１１が形成される。上述した接続杆５２は、上述した装着孔５１１内に取り付けられる。上述した磁石は、接続部材と接続杆５２との間に係合される。上述したアウターケース７０は、取付けベース６０上に取り付けられる。上述したインナーケース４０は、アウターケース７０内に取り付けられ、磁石の磁性により、アウターケース７０内にインナーケース４０を確実に取り付けることができる。このように音響懐中電灯を所望の箇所に固定させることができなかった問題を解決することができるため、ユーザは空いた両手で別のことをすることができる。そのため、実用的で普及させる価値がある。
【００２７】
当該分野の技術を熟知する者が理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１０  照明部
２０  音響装置
４０  インナーケース
４１  環状ブロック
５１  接続板
５２  接続杆
６０  取付けベース
７０  アウターケース
５１１  装着孔
５１２  係合槽
５１３  係合端
５１４  第２の環状槽
５１５  環状突起
５２１  接続槽
【図１】
0003224977.tif 000003
【図２】
0003224977.tif 000004
【図３】
0003224977.tif 000005
【図４】
0003224977.tif 000006